(57)【要約】  本発明の超音波診断装置は、超音波探触子を駆動する送信部１０２と、超音波が被検体において反射することにより得られる超音波エコーを、超音波探触子を用いて受信し、受信信号を生成する受信部１０３と、受信信号から被検体の各組織の動きを追跡し、追跡位置情報を出力する組織追跡部１０５と、血管の半径および壁厚を求める半径および壁厚算出部と、外部から得られる被検体の血圧に関する情報、追跡位置情報、血管の半径および壁厚から血管の血管壁の径方向弾性率および周方向弾性率を求める組織性状値算出部１０８と、径方向弾性率および周方向弾性率を表示する表示部１０７とを備える。送信部および受信部の動作により超音波を送受信している場合、組織性状値算出部は追跡位置情報および血圧に関する情報に基づいて径方向弾性率を逐次求め、表示部が径方向弾性率を表示する。超音波の送受信を停止している場合には、組織性状値率算出部は追跡位置情報、血圧に関する情報および血管の半径および壁厚に基づいて周方向弾性率を求め、表示部が周方向弾性率を表示する。
2007080870.tif 000002
【特許請求の範囲】
【請求項１】
血管を含む被検体へ超音波を送信するために、超音波探触子を駆動する送信部と、
前記超音波が前記被検体において反射することにより得られる超音波エコーを、前記超音波探触子を用いて受信し、受信信号を生成する受信部と、
前記受信信号から前記被検体の各組織の動きを追跡し、追跡位置情報を出力する組織追跡部と、
前記血管の半径および壁厚を求める半径および壁厚算出部と、
外部から得られる前記被検体の血圧に関する情報、前記追跡位置情報、前記血管の半径および壁厚の少なくとも１つから前記血管の血管壁の第１の組織性状値および第２の組織性状値を求める組織性状値算出部と、
前記第１の組織性状値および第２の組織性状値を表示する表示部と、
を備え、
前記送信部および受信部の動作により超音波を送受信している場合、前記組織性状値算出部は第１の組織性状値を逐次求め、前記表示部が前記第１の組織性状値を表示し、
前記超音波の送受信を停止している場合、前記組織性状値算出部は第２の組織性状値を求め、
前記組織性状値算出部は、操作者からの指令に基づき前記第１の組織性状値および前記第２の組織性状値の少なくともいずれか一方を出力し、
前記表示部は前記組織性状値算出部から出力される前記第１の組織性状値および前記第２の組織性状値の少なくともいずれか一方を表示する超音波診断装置。
【請求項２】
前記第２の組織性状値は、前記第１の組織性状値を算出するための演算よりも多くの演算を要する請求項１に記載の超音波診断装置。
【請求項３】
前記第１の組織性状値および第２の組織性状値は、それぞれ径方向弾性率および周方向弾性率であり、
前記送信部および受信部の動作により超音波を送受信している場合、前記組織性状値算出部は前記追跡位置情報および前記血圧に関する情報に基づいて前記径方向弾性率を逐次求め、
前記超音波の送受信を停止している場合、前記組織性状値算出部は前記追跡位置情報、前記血圧に関する情報、前記血管の半径および壁厚に基づいて前記周方向弾性率を求める請求項２に記載の超音波診断装置。
【請求項４】
前記半径および壁厚算出部は、前記受信信号および前記追跡位置情報の少なくとも一方に基づいて、前記血管壁と血流との境界および血管壁と周辺組織との境界を検出し、検出した境界に基づいて血管の半径および壁厚を求める請求項３に記載の超音波診断装置。
【請求項５】
前記受信信号に基づいて、前記表示部に表示するための前記被検体の断層画像を生成する断層画像処理部と、
前記血管壁と血流との境界、または、前記血管壁と周辺組織との境界を操作者が前記表示部に表示された断層画像上において指定することにより、前記血管壁と血流との境界および血管壁と周辺組織との境界の位置を前記半径および壁厚算出部へ入力するユーザインターフェースと、
をさらに備える請求項４に記載の超音波診断装置。
【請求項６】
前記受信信号に基づいて、前記表示部に表示するための前記被検体の断層画像を生成する断層画像処理部と、
前記血管壁と血流との境界または、前記血管壁と周辺組織との境界を前記表示部に表示された断層画像上において操作者が指定することにより、前記半径および壁厚算出部が検出した前記境界の位置を補正して入力し、または、前記半径および壁厚算出部が求めた前記血管の半径および壁厚を前記操作者が入力することにより補正するユーザインターフェースと、
をさらに備える請求項４に記載の超音波診断装置。
【請求項７】
前記超音波の送受信を停止している場合において、前記ユーザインターフェースにより前記操作者が前記半径および壁厚算出部へ入力を行うまで、前記表示部は前記第１の組織性状値を表示する請求項５または６に記載の超音波診断装置。
【請求項８】
前記受信信号、前記追跡位置情報および前記追跡位置情報に基づく歪み量の少なくともひとつを記憶するメモリをさらに備え、
前記超音波の送受信を停止している場合において、前記組織追跡部および前記組織性状値算出部は、前記メモリに記憶されていた前記受信信号、前記追跡位置情報および前記歪み量の少なくとも１つを読み出して、前記第２の組織性状値を求め、前記表示部に表示する請求項７に記載の超音波診断装置。
【請求項９】
前記組織追跡部および前記組織性状値算出部は、前記メモリに記憶された任意の時刻の前記受信信号、前記追跡位置情報および前記追跡位置情報に基づく歪み量の少なくとも１つを読み出して前記第２の組織性状値を求め、前記表示部に表示する請求項８に記載の超音波診断装置。
【請求項１０】
前記メモリは、前記求めた第２の組織性状値を前記時刻に関連させて記憶する請求項９に記載の超音波診断装置。
【請求項１１】
前記メモリに前記第２の組織性状値が記憶されている場合には、前記ユーザインターフェースからの前記操作者による入力を受け取ることなく、前記組織性状値算出部は、前記メモリから前記第２の組織性状値を読み出し、前記表示部が前記第２の組織性状値を表示する請求項１０に記載の超音波診断装置。
【発明の詳細な説明】
【技術分野】
【０００１】
本発明は、超音波診断装置に関し、特に、被検体組織の動きを追跡し、追跡波形から被検体組織の弾性率を求める超音波診断装置に関する。
【背景技術】
【０００２】
超音波診断装置は、超音波を被検体に照射し、そのエコー信号に含まれる情報を解析することにより、被検体を非侵襲的に検査する。従来から広く用いられている超音波診断装置は、エコー信号の強度を対応する画素の輝度に変換することにより、被検体の構造を断層画像として得ている。これにより、被検体の内部の構造を知ることができる。【０００３】
これに対し、近年、エコー信号の主に位相を解析することによって、被検体の組織の動きを精密に測定し、組織の歪みや弾性率、粘性率などの物理的（性状）特性を求めることが試みられている。【０００４】
特許文献１は、一定間隔で送受信された超音波のエコー信号の位相差を用いて、被検体の局所領域の瞬間的な移動量を求め、移動量を加算していくことによって、被検体組織を高精度に追跡する方法を開示している。図３を用いて、特許文献１に開示された被検体組織の追跡方法を説明する。被検体の同一個所に向けてΔＴの間隔で超音波パルスを送信し、得られた反射エコーを電気信号に変換した受信信号をそれぞれｙ（ｔ）、ｙ（ｔ＋ΔＴ）とする。ｔは送信時刻を０とした受信時間である。探触子からある距離（深度）ｘに位置する計測点から得られるエコー信号とその受信時刻ｔｘとの間には、音速をＣとすると、下記式（１）の関係が成り立つ。【０００５】
ｔｘ＝ｘ／（Ｃ／２）                ・・・  （１）【０００６】
このときｙ（ｔｘ）とｙ（ｔｘ＋ΔＴ）との間の位相差をΔθ、ｔｘ付近での超音波の中心周波数をｆとすると、この期間ΔＴにおける計測点の移動量Δｘは、以下の式（２）で表される。【０００７】
Δｘ＝−Ｃ・Δθ／４πｆ          ・・・  （２）【０００８】
式（２）から求められる移動量ΔＸを元の計測点位置ｘに加算することにより、計測点のΔＴ後の位置ｘ’は以下の式（３）によって求められる。【０００９】
ｘ’＝ｘ＋Δｘ                    ・・・  （３）【００１０】
この演算を繰り返すことによって、被検体内の計測点の位置を追跡していくことができる。たとえば、ｘ’の位置から反射されたエコーの受信時刻をｔｘ’とし、続いて送受信された受信信号をｙ（ｔ＋２ΔＴ）とすると、ｙ（ｔｘ’＋ΔＴ）とｙ（ｔｘ’＋２ΔＴ）の位相差から式（１）および式（２）の演算により、２ΔＴ後の計測点の位置ｘ”を求めることができる。【００１１】
特許文献２は、特許文献１の方法をさらに発展させ、被検体組織、特に動脈血管壁の弾性率を求める方法を開示している。この方法によれば、まず、図４（ａ）に示すように、探触子１０１から被検体２３０の血管２２２へ向けて超音波を送信し、血管２２２の血管壁上に設定した計測点ＡおよびＢからのエコー信号を特許文献１の方法により解析することにより、計測点ＡおよびＢの動きを追跡する。図４（ｂ）は、計測点ＡおよびＢの追跡波形ＴＡおよびＴＢを示している。また、心電波形ＥＣＧも合わせて示している。【００１２】
図４（ｂ）に示すように、追跡波形ＴＡおよびＴＢは心電波形ＥＣＧに一致した周期性を有している。これは、心臓の心拍周期に一致して、動脈が拡張および収縮することを示している。具体的には、心電波形ＥＣＧ中にＲ波と呼ばれる大きなピークが見られる際、心臓の収縮が開始し、心臓の収縮によって、動脈中に血流が押し出され、血圧が上昇する。この血圧によって急激に血管壁が広げられる。したがって、心電波形ＥＣＧにＲ波が現れた後、動脈が急激に拡張し、追跡波形ＴＡおよびＴＢも急激に立ち上がる。その後、心臓はゆっくり拡張するので、動脈がゆっくり収縮し、追跡波形ＴＡおよびＴＢも徐々に元に戻る。このような動きを動脈は繰り返している。【００１３】
追跡波形ＴＡおよびＴＢの差は計測点ＡＢ間の厚さ変化波形Ｗとなる。厚さ変化波形Ｗの最大変化量をΔＷとし、計測点ＡＢ間の初期化時（心拡張末期）の基準厚さをＷｓとすると、計測点ＡＢ間の最大歪み量εは以下の式（４）で求められる。【００１４】
ε＝ΔＷ／Ｗｓ                        ・・・  （４）【００１５】
この歪みは血管壁に加わる血圧差によるものであるから、このときの血圧差をΔＰとすると、計測点ＡＢ間の弾性率Ｅｒは以下の式で表される。【００１６】
Ｅｒ＝ΔＰ／ε＝ΔＰ・Ｗｓ／ΔＷ        ・・・  （５）【００１７】
したがって、弾性率Ｅｒを断層画像上の複数点に対して計測することにより、弾性率の分布画像が得られる。  図４（ａ）に示すように、血管２２２の血管壁中に粥腫２２０が生じている場合、粥腫２２０とその周りの血管壁組織とでは弾性率が異なる。したがって、弾性率の分布画像が得られれば粥腫の性状、特に易破裂性などの診断に重要な情報が得られる。【００１８】
このようにして求められた弾性率は、血管の径方向弾性率と呼ばれる。円筒形状を有する血管壁には径方向弾性率Ｅｒのほかに、周方向弾性率Ｅθ、軸方向弾性率Ｅｚの３種類の弾性率が存在する。特許文献２によって求められる弾性率Ｅｒは、血管壁の径方向の弾性率であり、圧力が加わる方向である血管壁の径方向において血管壁の歪みを検出し、その歪みと圧力とから弾性率を算出している。【００１９】
非特許文献１は、血管壁の周方向の弾性率Ｅθを算出する方法を開示している。非特許文献１によれば、血管壁は同心円状の３層構造を備えるため、径方向弾性率Ｅｒよりも周方向弾性率Ｅθの方が血管壁の組織性状をより正しく反映する。非特許文献１は、以下の式（６）を用いて周方向弾性率Ｅθを求めている。ここで、ｈ０は血管壁の径方向の初期厚さであり、ｒ０は血管の初期半径である。【００２０】
Ｅθ＝−（１／２）（ｒ０／ｈ０＋１）（ΔＰ／ε）    ・・・  （６）
【特許文献１】特開平１０−５２２６号公報
【特許文献２】特開２０００−２２９０７８号公報
【特許文献３】国際公開第２００４／１１０２８０号パンフレット
【非特許文献１】長谷川、金井他「不均一な壁厚を有する管の局所壁弾性率計測法」J Med Ultrasonics Vol.28, No.1(2001) pp.J3-J13
【非特許文献２】金森浩「音・振動のスペクトル解析」コロナ社、ＩＳＢＮ４−３３９−０１１０５−３、日本音響学会編、
【非特許文献３】S.Timoshenko, "The Theory of Elasticity" McGraw-Hill, 1970
【発明の開示】
【発明が解決しようとする課題】
【００２１】
式（６）に示されるように、周方向弾性率Ｅθを求めるためには、血管の半径Ｒ０および壁厚ｈ０を計測する必要がある。しかし、超音波による血管壁の計測では、血管後壁（探触子から遠いほうの血管壁）と血流の境界は明瞭に検出されるが、血管前壁（探触子に近いほうの血管壁）と血流の境界は多重反射や超音波の尾引きの影響により、正確に検出することが困難である。このため、正確な周方向弾性率Ｅθを求めることはできなかった。【００２２】
本発明は、このような従来技術の課題を解決し、高速な演算装置を必要とせず、操作者の少ない手間で精度よい周方向弾性率を求めることのできる超音波診断装置を提供することを目的とする。
【課題を解決するための手段】
【００２３】
本発明の超音波診断装置は、血管を含む被検体へ超音波を送信するために、超音波探触子を駆動する送信部と、前記超音波が前記被検体において反射することにより得られる超音波エコーを、前記超音波探触子を用いて受信し、受信信号を生成する受信部と、前記受信信号から前記被検体の各組織の動きを追跡し、追跡位置情報を出力する組織追跡部と、前記血管の半径および壁厚を求める半径および壁厚算出部と、外部から得られる前記被検体の血圧に関する情報と前記追跡位置情報および前記血管の半径および壁厚から前記血管の血管壁の第１の組織性状値および第２の組織性状値を求める組織性状値算出部と、前記第１の組織性状値および第２の組織性状値を表示する表示部とを備え、前記送信部および受信部の動作により超音波を送受信している場合、前記組織性状値算出部は前記追跡位置情報および前記血圧に関する情報に基づいて前記第１の組織性状値を逐次求め、前記表示部が前記第１の組織性状値を表示し、前記超音波の送受信を停止している場合、前記組織性状値算出部は前記追跡位置情報、前記血圧に関する情報および前記血管の半径および壁厚に基づいて前記第２の組織性状値を求め、前記組織性状値算出部は、操作者からの指令に基づき前記第１の組織性状値および前記第２の組織性状値の少なくともいずれか一方を出力し、前記表示部は前記組織性状値算出部から出力される前記第１の組織性状値および前記第２の組織性状値の少なくともいずれか一方を表示する。【００２４】
ある好ましい実施形態において、前記第２の組織性状値は、前記第１の組織性状値を算出するための演算よりも多くの演算を要する。【００２５】
ある好ましい実施形態において、前記第１の組織性状値および第２の組織性状値は、それぞれ径方向弾性率および周方向弾性率であり、前記送信部および受信部の動作により超音波を送受信している場合、前記組織性状値算出部は前記追跡位置情報および前記血圧に関する情報に基づいて前記径方向弾性率を逐次求め、前記超音波の送受信を停止している場合、前記組織性状値算出部は前記追跡位置情報、前記血圧に関する情報、前記血管の半径および壁厚に基づいて前記周方向弾性率を求める。【００２６】
ある好ましい実施形態において、前記半径および壁厚算出部は、前記受信信号および前記追跡位置情報の少なくとも一方に基づいて、前記血管壁と血流との境界および血管壁と周辺組織との境界を検出し、検出した境界に基づいて血管の半径および壁厚を求める。【００２７】
ある好ましい実施形態において、超音波診断装置は、前記受信信号に基づいて、前記表示部に表示するための前記被検体の断層画像を生成する断層画像処理部と、前記血管壁と血流との境界、または、前記血管壁と周辺組織との境界を前記操作者が前記表示部に表示された断層画像上において指定することにより、前記血管壁と血流との境界および血管壁と周辺組織との境界の位置を前記半径および壁厚算出部へ入力するユーザインターフェースとをさらに備える。【００２８】
ある好ましい実施形態において、超音波診断装置は、前記受信信号に基づいて、前記表示部に表示するための前記被検体の断層画像を生成する断層画像処理部と、前記血管壁と血流との境界または、前記血管壁と周辺組織との境界を前記表示部に表示された断層画像上において前記操作者が指定することにより、前記半径および壁厚算出部が検出した前記境界の位置を補正して入力し、または、前記半径および壁厚算出部が求めた前記血管の半径および壁厚を前記操作者が入力することにより補正するユーザインターフェースとをさらに備える。【００２９】
ある好ましい実施形態において、前記超音波の送受信を停止している場合、前記ユーザインターフェースにより前記操作者が前記半径および壁厚算出部へ入力を行うまで、前記表示部は前記第１の組織性状値を表示する。【００３０】
ある好ましい実施形態において、超音波診断装置は、前記受信信号、前記追跡位置情報および前記追跡位置情報に基づく歪み量の少なくともひとつを記憶するメモリをさらに備え、前記超音波の送受信を停止している場合において、前記組織追跡部および前記組織性状値算出部は、前記メモリに記憶されていた前記受信信号、前記追跡位置情報および前記歪み量の少なくとも１つを読み出して、前記第２の組織性状値を求め、前記表示部に表示する。【００３１】
ある好ましい実施形態において、前記組織追跡部および前記組織性状値算出部は、前記メモリに記憶された任意の時刻の前記受信信号、前記追跡位置情報および前記追跡位置情報に基づく歪み量の少なくとも１つを読み出して前記第２の組織性状値を求め、前記表示部に表示する。【００３２】
ある好ましい実施形態において、前記メモリは、前記求めた第２の組織性状値を前記時刻に関連させて記憶する。【００３３】
ある好ましい実施形態において、前記メモリに前記第２の組織性状値が記憶されている場合には、前記ユーザインターフェースからの前記操作者による入力を受け取ることなく、前記組織性状値算出部は、前記メモリから前記第２の組織性状値を読み出し、前記表示部が前記第２の組織性状値を表示する。
【発明の効果】
【００３４】
本発明によれば、高速な演算装置を必要とせず、簡単な手順により、血管壁の周方向弾性率を精度よく求めることができる。
【図面の簡単な説明】
【００３５】
【図１】本発明による超音波診断装置の実施形態を示すブロック図である。
【図２】図１に示す装置を用いて表示される画像の一例を示している。
【図３】位相差から組織の位置の追跡を行う原理を示す図である。
【図４】（ａ）は超音波診断装置を用いて血管壁を計測する手順を説明している。（ｂ）は計測により得られる追跡波形および厚さ変化波形の一例を示している。
【符号の説明】
【００３６】
１００  制御部
１０１  探触子
１０２  送信部
１０３  受信部
１０４  断層画像処理部
１０５  組織追跡部
１０６  画像合成部
１０７  モニタ
１０８  組織性状値算出部
１０９  メモリ
１１０  半径および壁厚算出部
１１１  血圧値取得部
１２２  ユーザインターフェース
２００  断層画像
２０１  弾性率画像
２０２  断層画像用反射強度スケール
２０３  弾性率画像スケール
２０４  生体信号波形
【発明を実施するための最良の形態】
【００３７】
以下、本発明による超音波診断装置の実施形態を説明する。図１は本発明よる超音波診断装置のブロック図を示している。超音波診断装置は、送信部１０２、受信部１０３、断層画像処理部１０４、組織追跡部１０５、画像合成部１０６、モニタ１０７、組織性状値算出部１０８、半径および壁厚算出部１１０、メモリ１２０、１２１およびユーザインターフェース１２２を備えている。また、これら各構成要素を所定のタイミングおよび順序で制御する制御部１００をさらに備えている。制御部１００は、図示しないキーボードやトラックボール、スイッチ、ボタンといったユーザインターフェースを含んでいる。【００３８】
なお、図１に示す各構成要素は必ずしも独立したハードウエアによって構成される必要はなく、例えば、制御部１００、断層画像処理部１０４、組織追跡部１０５、画像合成部１０６、組織性状値算出部１０８、半径および壁厚算出部１１０の機能がＣＰＵとソフトウェアにより実現されていてもよい。【００３９】
送信部１０２および受信部１０３には超音波を被検体へ向けて送信し、被検体から超音波エコーを受信するための探触子１０１が接続される。超音波診断装置は専用の探触子１０１を備えていてもよいし、汎用の探触子を探触子１０１として用いてもよい。探触子１０１内には複数の圧電変換素子が配置され、これらの圧電変換素子の選択および、圧電変換素子に電圧を与えるタイミングによって送受信する超音波の偏向角およびフォーカスを制御する。【００４０】
送信部１０２は、制御部１００の指令を受けて、指定されたタイミングで探触子１０１を駆動する高圧信号を発生する。探触子１０１は、送信部１０２で発生した送信信号を超音波に変換して被検体に照射する。【００４１】
被検体内部から反射してきた超音波エコーは、探触子１０１を用いて電気信号に変換され、受信部１０３により増幅されることによって受信信号が生成する。前述したように受信部１０３は、探触子１０１の圧電変換素子の選択によって、定められた位置（フォーカス）または方向（偏向角）からの超音波のみを検出することができる。【００４２】
断層画像処理部１０４は、フィルタ、検波器、対数増幅器などからなり、受信信号の主に振幅を解析して、被検体の内部構造を画像化する。得られた断層画像は、以下において説明する画像構成部１０６において、弾性率画像と合成され、表示部であるモニタ１０７に表示される。【００４３】
組織追跡部１０５は、受信信号を記憶するメモリ、受信信号間の位相差から式（１）を用いて超音波の送受信方向に沿う被検体組織の移動量を求める移動量演算部、移動量を元の位置に加算して移動後の位置を求める追跡位置演算部を含み、被検体内の各組織の超音波の送受信方向に沿う各組織の追跡位置情報を出力する。【００４４】
半径および壁厚算出部１１０は、被検体に含まれる血管の半径および壁厚を求める。具体的には、組織追跡部１０５または、メモリ１２１から得られる追跡位置情報または受信信号のうち、少なくともいずれか一方を解析して、組織の境界を検出するとともに、血管壁−周辺組織境界または血管壁−血流境界から、血管半径および壁厚を与える。追跡位置情報に基づく場合には、例えば、血流および、血管壁、周辺組織の追跡波形との差を求めることによって血管の外径を求めることができる。【００４５】
受信信号に基づく場合には、受信信号の振幅を解析する。受信信号の振幅は、被検体の計測領域内における反射波の強度を示しており、血管壁と血流あるいは血管壁と周辺組織とでは反射波の強度が異なる。したがって、受信信号の振幅の差異を検出することにより、境界の位置を検出し、境界の位置を定めることができる。【００４６】
ユーザインターフェース１２２は、半径および壁厚算出部１１０によって算出された血管の半径および壁厚を操作者が補正するための入力部である。具体的には、ユーザインターフェースはキーボードやトラックボール、マウスなどの入力デバイスであり、操作者が、モニタ１０７に表示された断層画像上において、半径および壁厚算出部１１０が決定した血管壁と血流との境界または血管壁と周辺組織との境界をユーザインターフェース１２２を用いて補正することによって、補正後の血管壁と周辺組織との境界または血管壁と血流との境界の位置を前記半径および壁厚算出部へ入力する。モニタ１０７に、断層画像と半径および壁厚算出部１１０が決定した血管壁と血流との境界または血管壁と周辺組織との境界と血管の半径および壁厚とが表示され、操作者がモニタ１０７を見ながら適切な血管の半径値および壁厚値をユーザインターフェース１２２から入力してもよい。【００４７】
また、半径および壁厚算出部１１０が、追跡位置情報または受信信号から所定の精度で血管の半径または壁厚を求めることができない場合には、操作者がモニタ１０７に表示された断層画像上において、血管壁と血流との境界または血管壁と周辺組織との境界をユーザインターフェース１２２を用いて決定し、半径および壁厚算出部１１０は操作者が決定した境界の位置から血管の半径および壁厚を求めてもよい。ユーザインターフェース１２２からの入力により、補正された血管の半径および壁厚が半径および壁厚算出部１１０から組織性状値算出部１０８へ出力される。ユーザインターフェース１２２は制御部１００に含まれるキーボードやトラックボール、スイッチ、ボタンといったユーザインターフェースであってもよい。【００４８】
組織性状値算出部１０８は、組織追跡部１０５から追跡位置情報を受け取り、式（３）および式（４）に基づいて歪み量を求める。さらに血圧値取得部１１１から血圧値を受け取り、式（５）に基づき、第１の組織性状値として径方向弾性率を求める。血圧値取得部１１１は、血圧値を組織性状値算出部１０８へ入力する。血圧値取得部１１１は、被検体の血圧を計測する血圧計であってもよいし、操作者が血圧値入力するためのキーボードなどの入力装置であってもよい。【００４９】
また、組織性状値算出部１０８は、半径および壁厚算出部１１０から補正された血管半径および壁厚を受け取り、第２の組織性状値として式（４）から式（６）に基づいて周方向弾性率を求める。径方向弾性率および周方向弾性率は被検体の各組織について求められる。つまり超音波の送受信方向および送受信方向に垂直な方向に配列された２次元マップとして求められる。【００５０】
周方向弾性率は正確な血管半径および壁厚が入力されなければ求めることができない。このため、以下において詳細に説明するように、周方向弾性率は、計測のための超音波の送受信を停止した状態において操作者が血管半径および壁厚を補正した後に求められる。一方、径方向弾性率は、計測のための超音波の送受信を行いながらリアルタイムで逐次求められる。【００５１】
このように、組織性状値算出部１０８は、超音波の送受信を行っている間に第１の組織性状値を求め、超音波の送受信を停止している間に第２の組織性状値を求める。第１の組織性状値には、超音波の送受信を行っている間であっても演算が可能な、比較的高い演算処理が必要のない特性値、あるいは、受信信号に基づき、自動的に演算することが可能な特性値が選ばれる。一方、第２の組織性状値には、第１の組織性状値を算出するための演算よりも多くの演算を要する高度な演算処理が必要な組織性状値、あるいは、操作者による補正に基づいて演算を行うことが必要な組織性状値が選ばれる。組織性状値算出部１０８は、第２の組織性状値の演算を超音波の送受信を行っていない時に行う。このため、第２の組織性状値を送受信を行いながら演算する場合に比べて、超音波診断装置の演算装置に求められる負荷が小さくてすむ。【００５２】
組織性状値算出部１０８は、第２の組織性状値を求めた後、操作者によるユーザインターフェース１２２からの指令に基づき前記第１の組織性状値および前記第２の組織性状値の少なくともいずれか一方、つまり、径方向弾性率の二次元マップ画像または周方向弾性率の二次元マップ画像を出力する。【００５３】
画像合成部１０６は、断層画像処理部１０４から得られる断層画像と、組織性状値算出部１０８から得られる径方向弾性率の二次元マップ画像または周方向弾性率の二次元マップ画像とを合成し、モニタ１０７へ出力する。対応する組織の位置が重なるように断層画像と弾性率の二次元マップ画像とを合成することが好ましい。【００５４】
メモリ１２１は受信信号と、追跡位置情報、歪み量の少なくともいずれか１つを記憶する。また、組織性状値算出部１０８が算出した径方向弾性率および周方向弾性率を、計測時刻に関連付けて記憶する。メモリ１２０は断層画像を記憶する。メモリ１２１に記憶された情報は、超音波の送受信を停止した状態において、読み出され、組織性状値算出部１０８において周方向弾性率の計算に用いられる。また、周方向弾性率や径方向弾性率をモニタ１０７に表示する場合に、対応した弾性画像のデータがメモリ１２０から読み出され画像合成部で弾性率の二次元マップ画像と合成される。【００５５】
図２は、このような構成の超音波診断装置を用いて、血管壁の弾性率を計測した結果の一例を表示したモニタ画面を模式的に示している。図２において、モニタ上には血管壁の断層画像２００に重畳して、対応する組織の弾性率の分布を表す弾性率画像２０１がカラーで表示される。図２に示されるように、超音波診断装置に被検体から得られる心電波形を入力し、心電波形を生体信号波形２０４として表示してもよい。また、以下において説明するように、血管壁と血流との境界を示すカーソル３０１、３０２が表示される。【００５６】
断層画像２００は、反射強度スケール２０２に示される反射強度と画像の諧調との関係を用いて表示される。また、弾性率画像２０１は、弾性率スケール２０３に示される弾性率と色調との関係を用いて表示される。図２では、断層画像２００中の血管前壁の内膜２６１、中膜２６２および外膜２６３と、血管後壁の内膜２５１、中膜２５２および外膜２５３と、血管内腔２４０とが反射強度スケール２０２にしたがう異なる諧調度で区別して表示されている。また、これらの組織は異なる弾性率を有するため、弾性率画像２０１においても弾性率スケール２０３にしたがう異なる色調でこれらの組織が表示されている。【００５７】
超音波送受信時（以下、ライブ状態という）では、断層画像２００は従来の超音波診断装置同様に数１０フレーム／秒ごとに更新され表示される。一方、弾性率は一心拍中の血圧差に基づいて計算される。このため、弾性率画像２０１は１心拍に１回更新して表示される。【００５８】
超音波の送受信を停止した状態（以下、フリーズ状態）では、メモリ１２１より受信信号、追跡位置情報または歪み量が読み出され、弾性率が再計算され、メモリ１２０よりそのときの弾性率に同期した断層画像が読み出されて表示される。また、フリーズ状態において過去の弾性率および断層画像を読み出すことができる。この場合は特許文献３に示されるように、弾性率に関連付けて記憶されている計測時刻に基づいて、表示する弾性率と同じ時刻に得られた断層画像、または、弾性率を算出するのに要した心拍期間の断層画像が、メモリ１２０より読み出されて表示される。【００５９】
次に、超音波診断装置の動作を説明する。まず、ライブ状態では、送信部１０２および受信部１０３を動作させ、所定の時間間隔で受信信号が生成する。断層画像処理部１０４および組織追跡部１０５は受信信号を逐次処理し、断層画像および追跡位置情報を生成する。組織性状値算出部１０８は逐次生成される追跡位置情報に基づいて、径方向弾性率の二次元マッピング画像を生成する。画像合成部１０６は断層画像と径方向弾性率の二次元マッピング画像とを合成し、モニタ１０７がこれらの合成画像を表示する。ライブ状態では超音波の送受信が逐次行われ、断層画像も受信信号の生成のたびに更新される。径方向弾性率の二次元マッピング画像は心拍ごとに更新される。得られた受信信号、追跡位置情報および弾性率の少なくとも１つはメモリ１２１に記憶される。得られた断層画像はメモリ１２０に記憶される。【００６０】
一方、周方向弾性率を求めるためには、血管半径および壁厚を求める必要がある。しかし、血管壁と血流との境界は短時間内に自動的に検出するのが困難である。例えば、実際の装置では受信信号１本あたりの処理時間は１００μ秒程度しかなく、この時間内に境界を検出するためには、高性能のコンピュータが必要となる。このため、本発明の超音波診断装置は、ライブ状態では、径方向弾性率のみを求める。【００６１】
超音波の送受信を停止したフリーズ状態では、受信信号、追跡位置情報および径方向弾性率のいずれか少なくとも１つがメモリ１２１から読み出され、組織性状値算出部１０８が周方向弾性率の算出を行う。また、同じ時刻に得られた断層画像がメモリ１２０から画像合成部１０６へ出力される。このとき、半径および壁厚算出部１１０は、追跡位置情報または受信信号に基づいて血管前壁および後壁と周辺組織との境界または血管前壁および後壁と血流との境界を前述した方法により決定し、血管半径および壁厚を求める。求めた血管半径および壁厚は組織性状値算出部１０８へ出力される。フリーズ直後の遅れであれば操作者に違和感を与えることはないので、境界の決定に多少時間を要してもよい。【００６２】
組織性状値算出部１０８は、血管半径および壁厚と追跡位置情報または径方向弾性率とから周方向弾性率を求め、周方向弾性率の二次元マップ画像を画像合成部１０６へ出力する。画像合成部１０６は、メモリ１２０から受け取る弾性画像と、周方向弾性率の二次元マッピング画像とを合成し、モニタ１０７がこれらの合成画像を表示する。【００６３】
血管半径および壁厚が正しく自動的に求められる場合には、フリーズ状態において上述の手順によって周方向弾性率の二次元マッピング画像を含む画像をモニタ１０７に自動的に表示される。しかし、血管半径または壁厚が正確に求められない場合、つまり、血管壁の境界が正確に決定できない場合には、操作者がユーザインターフェース１２２により、境界の位置または血管半径または壁厚を補正し、補正された境界位置または血管半径または壁厚に基づいて、組織性状値算出部１０８が周方向弾性率を求める。【００６４】
例えば、図２に示すように、フリーズ状態においても、まず、メモリ１２０、１２１に記憶されたデータを読み出し、まず断層画像と径方向弾性率との合成画像を表示する。また、半径および壁厚算出部１１０が求めた境界の位置をモニタ１０７に合わせて表示する。図２では、半径および壁厚算出部が血管前壁および後壁と血流との境界を検出し、検出した位置にカーソル３０１、３０２を表示している。【００６５】
操作者はユーザインターフェース１２２により、モニタ１０７の断層画像上においてカーソル３０１、３０２の位置を補正する。半径および壁厚算出部１１０は、ユーザインターフェース１２２から補正された位置を取得して、血管半径および壁厚を算出する。あるいは、操作者はユーザインターフェース１２２から血管半径および壁厚を直接入力してもよい。【００６６】
組織性状値算出部１０８は、ユーザインターフェース１２２による補正された境界の位置に基づく血管半径および壁厚またはユーザインターフェース１２２による補正された血管半径および壁厚を受け取り、周方向弾性率を求め、周方向弾性率の二次元マップ画像を画像合成部１０６へ出力する。画像合成部１０６は、メモリ１２０から受け取る断層画像と、周方向弾性率の二次元マッピング画像とを合成し、モニタ１０７がこれらの合成画像を表示する。これにより、モニタ１０７の表示が径方向弾性率から周方向弾性率に切り替わる。【００６７】
このようにして求められた周方向弾性率は、その周方向弾性率を求めるためのデータが取得された時刻と関連させてメモリ１２１に記憶される。【００６８】
フリーズ状態におけるメモリ１２０、１２１からのデータの読み出しは、記憶されているデータの任意の時刻から開始することができる。すでに、一度メモリ１２０、１２１から読み出して、周方向弾性率が求められている時刻を指定する場合、上述の手順によって周方向弾性率を求めることなく、メモリ１２１に記憶されている周方向弾性率を関連付けられた時刻に基づいて表示することができる。このような動作によって再度計算をすることなく、直ちに周方向弾性率を表示することができる。また、周方向弾性率を計算することなく表示できる場合であっても、操作者の指令に基づいて周方向弾性率を表示するか径方向弾性率を表示するかを選択できるようにしてもよい。【００６９】
このように、本発明によれば、境界を検出するための複雑な演算を高速に行なう専用の手段を設けることなく、正確な径方向弾性率と周方向弾性率を求めることができる超音波診断装置を実現することができる。したがって、本発明の超音波診断装置を用いて、動脈硬化など血管の病変を正確に診断することが可能となる。【００７０】
なお、本実施形態では、第１の組織性状値および第２の組織性状値として、径方向弾性率および周方向弾性率を算出した。しかし、本発明の超音波診断装置は、第１の組織性状値および第２の組織性状値として他の組織性状値を求めてもよい。【００７１】
第１の組織性状値としては、超音波の送受信を行っている間であっても演算が可能な、比較的高い演算処理が必要のない特性値、あるいは、受信信号に基づき、自動的に演算することが可能な特性値が選ばれる。具体的には、第１の組織性状値は歪み量や内径変化量であってもよい。【００７２】
第２の組織性状値には、高度な演算処理が必要な特性値、あるいは、操作者による補正に基づいて演算を行うことが必要な特性値が選ばれる。具体的には、第２の組織性状値は粘性率であってもよい。粘性率μは、たとえば、非特許文献２に説明されている下記式（７）によって求められる。【００７３】
【数１】
2007080870.tif 000003
【００７４】
ここで、Ｐは血管の脈圧であり、εは歪みであり、Ｅは弾性率である。【００７５】
また、第２の組織性状値には、たとえば、非特許文献３に説明されている以下の式（８）から算出される弾性率Ｅであってもよい。【００７６】
【数２】
2007080870.tif 000004
【００７７】
ここで、Ｐは血管の脈圧であり、ｒiは血管の内半径であり、ｒoは血管の外半径であり、ｒは血管の中心からの距離である。距離ｒは、たとえば、操作者が弾性率を求めたい位置をユーザインターフェース１２２によって指定することにより、決定してもよい。【００７８】
こうした第２の組織性状値も高度な演算処理が必要であるため、超音波の送受信を行いながらライブ状態（リアルタイム）で求めるためには、高速な演算装置が必要となる。あるいは、操作者からの入力が必要となるため、ライブ状態での計測に適さない。しかし、本発明によれば、第２の組織性状値は、超音波診断装置による計測を行っていないときに求められるため、超音波診断装置の計測の制御に使われる演算能力を第２の組織性状値の演算に用いることができる。また、リアルタイムで第２の組織性状値を求める必要はないので、多少演算に時間がかかってもよく、その場合でも操作者に大きな違和感を感じさせることはない。【００７９】
したがって、高速な演算装置を用いることなく、高度な演算が必要な組織性状値を求めることが可能な超音波診断装置が実現する。また、操作者の入力に基づいて第２の組織性状値の算出を行う場合には、操作者が断層画像などを見ながら熟考して数値を決定、入力できる。
【産業上の利用可能性】
【００８０】
本発明は、血管壁の弾性率を正確に求めることのできる超音波診断装置に好適に用いられる。
【図１】
2007080870.tif 000005
【図２】
2007080870.tif 000006
【図３】
2007080870.tif 000007
【図４】
2007080870.tif 000008
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
血管を含む被検体へ超音波を送信するために、超音波探触子を駆動する送信部と、
前記超音波が前記被検体において反射することにより得られる超音波エコーを、前記超音波探触子を用いて受信し、受信信号を生成する受信部と、
前記受信信号から前記被検体の各組織の動きを追跡し、追跡位置情報を出力する組織追跡部と、
前記血管の半径および壁厚を求める半径および壁厚算出部と、
外部から得られる前記被検体の血圧に関する情報、前記追跡位置情報、前記血管の半径および壁厚の少なくとも１つから前記血管の血管壁の第１の組織性状値および第２の組織性状値を求める組織性状値算出部と、
前記第１の組織性状値および第２の組織性状値を表示する表示部と、
を備え、
前記第１の組織性状値と第２の組織性状値とは互いに異なる種類の組織性状値であって、
前記送信部および受信部の動作により超音波を送受信している場合、前記組織性状値算出部は第１の組織性状値を逐次求め、前記表示部が前記第１の組織性状値を表示し、
前記超音波の送受信を停止している場合、前記組織性状値算出部は第２の組織性状値を求め、
前記組織性状値算出部は、操作者からの指令に基づき前記第１の組織性状値および前記第２の組織性状値の少なくともいずれか一方を出力し、
前記表示部は前記組織性状値算出部から出力される前記第１の組織性状値および前記第２の組織性状値の少なくともいずれか一方を表示する超音波診断装置。
【請求項２】
前記第２の組織性状値は、前記第１の組織性状値を算出するための演算よりも多くの演算を要する請求項１に記載の超音波診断装置。
【請求項３】
前記第１の組織性状値および第２の組織性状値は、それぞれ径方向弾性率および周方向弾性率であり、
前記送信部および受信部の動作により超音波を送受信している場合、前記組織性状値算出部は前記追跡位置情報および前記血圧に関する情報に基づいて前記径方向弾性率を逐次求め、
前記超音波の送受信を停止している場合、前記組織性状値算出部は前記追跡位置情報、前記血圧に関する情報、前記血管の半径および壁厚に基づいて前記周方向弾性率を求める請求項２に記載の超音波診断装置。
【請求項４】
前記半径および壁厚算出部は、前記受信信号および前記追跡位置情報の少なくとも一方に基づいて、前記血管壁と血流との境界および血管壁と周辺組織との境界を検出し、検出した境界に基づいて血管の半径および壁厚を求める請求項３に記載の超音波診断装置。
【請求項５】
前記受信信号に基づいて、前記表示部に表示するための前記被検体の断層画像を生成する断層画像処理部と、
前記血管壁と血流との境界、または、前記血管壁と周辺組織との境界を操作者が前記表示部に表示された断層画像上において指定することにより、前記血管壁と血流との境界および血管壁と周辺組織との境界の位置を前記半径および壁厚算出部へ入力するユーザインターフェースと、
をさらに備える請求項４に記載の超音波診断装置。
【請求項６】
前記受信信号に基づいて、前記表示部に表示するための前記被検体の断層画像を生成する断層画像処理部と、
前記血管壁と血流との境界または、前記血管壁と周辺組織との境界を前記表示部に表示された断層画像上において操作者が指定することにより、前記半径および壁厚算出部が検出した前記境界の位置を補正して入力し、または、前記半径および壁厚算出部が求めた前記血管の半径および壁厚を前記操作者が入力することにより補正するユーザインターフェースと、
をさらに備える請求項４に記載の超音波診断装置。
【請求項７】
前記超音波の送受信を停止している場合において、前記ユーザインターフェースにより前記操作者が前記半径および壁厚算出部へ入力を行うまで、前記表示部は前記第１の組織性状値を表示する請求項５または６に記載の超音波診断装置。
【請求項８】
前記受信信号、前記追跡位置情報および前記追跡位置情報に基づく歪み量の少なくともひとつを記憶するメモリをさらに備え、
前記超音波の送受信を停止している場合において、前記組織追跡部および前記組織性状値算出部は、前記メモリに記憶されていた前記受信信号、前記追跡位置情報および前記歪み量の少なくとも１つを読み出して、前記第２の組織性状値を求め、前記表示部に表示する請求項７に記載の超音波診断装置。
【請求項９】
前記組織追跡部および前記組織性状値算出部は、前記メモリに記憶された任意の時刻の前記受信信号、前記追跡位置情報および前記追跡位置情報に基づく歪み量の少なくとも１つを読み出して前記第２の組織性状値を求め、前記表示部に表示する請求項８に記載の超音波診断装置。
【請求項１０】
前記メモリは、前記求めた第２の組織性状値を前記時刻に関連させて記憶する請求項９に記載の超音波診断装置。
【請求項１１】
前記メモリに前記第２の組織性状値が記憶されている場合には、前記ユーザインターフェースからの前記操作者による入力を受け取ることなく、前記組織性状値算出部は、前記メモリから前記第２の組織性状値を読み出し、前記表示部が前記第２の組織性状値を表示する請求項１０に記載の超音波診断装置。
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
血管を含む被検体へ超音波を送信するために、超音波探触子を駆動する送信部と、
前記超音波が前記被検体において反射することにより得られる超音波エコーを、前記超音波探触子を用いて受信し、受信信号を生成する受信部と、
前記受信信号から前記被検体の各組織の動きを追跡し、追跡位置情報を出力する組織追跡部と、
前記血管の半径および壁厚を求める半径および壁厚算出部と、
外部から得られる前記被検体の血圧に関する情報、前記追跡位置情報、前記血管の半径および壁厚の少なくとも１つから前記血管の血管壁の第１の組織性状値および第２の組織性状値を求める組織性状値算出部と、
前記第１の組織性状値および第２の組織性状値を表示する表示部と、
を備え、
前記第１の組織性状値と第２の組織性状値とは互いに異なる種類の組織性状値であって、
前記送信部および受信部の動作により超音波を送受信している場合、前記組織性状値算出部は第１の組織性状値を逐次求め、前記表示部が前記第１の組織性状値を表示し、
前記超音波の送受信を停止している場合、前記組織性状値算出部は第２の組織性状値を求め、
前記組織性状値算出部は、操作者からの指令に基づき前記第１の組織性状値および前記第２の組織性状値の少なくともいずれか一方を出力し、
前記表示部は前記組織性状値算出部から出力される前記第１の組織性状値および前記第２の組織性状値の少なくともいずれか一方を表示する超音波診断装置。            
【請求項２】
前記第２の組織性状値は、前記第１の組織性状値を算出するための演算よりも多くの演算を要する請求項１に記載の超音波診断装置。
【請求項３】
前記第１の組織性状値および第２の組織性状値は、それぞれ径方向弾性率および周方向弾性率であり、
前記送信部および受信部の動作により超音波を送受信している場合、前記組織性状値算出部は前記追跡位置情報および前記血圧に関する情報に基づいて前記径方向弾性率を逐次求め、
前記超音波の送受信を停止している場合、前記組織性状値算出部は前記追跡位置情報、前記血圧に関する情報、前記血管の半径および壁厚に基づいて前記周方向弾性率を求める請求項２に記載の超音波診断装置。
【請求項４】
前記半径および壁厚算出部は、前記受信信号および前記追跡位置情報の少なくとも一方に基づいて、前記血管壁と血流との境界および血管壁と周辺組織との境界を検出し、検出した境界に基づいて血管の半径および壁厚を求める請求項３に記載の超音波診断装置。
【請求項５】
前記受信信号に基づいて、前記表示部に表示するための前記被検体の断層画像を生成する断層画像処理部と、
前記血管壁と血流との境界、または、前記血管壁と周辺組織との境界を操作者が前記表示部に表示された断層画像上において指定することにより、前記血管壁と血流との境界および血管壁と周辺組織との境界の位置を前記半径および壁厚算出部へ入力するユーザインターフェースと、
をさらに備える請求項４に記載の超音波診断装置。
【請求項６】
前記受信信号に基づいて、前記表示部に表示するための前記被検体の断層画像を生成する断層画像処理部と、
前記血管壁と血流との境界または、前記血管壁と周辺組織との境界を前記表示部に表示された断層画像上において操作者が指定することにより、前記半径および壁厚算出部が検出した前記境界の位置を補正して入力し、または、前記半径および壁厚算出部が求めた前記血管の半径および壁厚を前記操作者が入力することにより補正するユーザインターフェースと、
をさらに備える請求項４に記載の超音波診断装置。
【請求項７】
前記超音波の送受信を停止している場合において、前記ユーザインターフェースにより前記操作者が前記半径および壁厚算出部へ入力を行うまで、前記表示部は前記第１の組織性状値を表示する請求項５または６に記載の超音波診断装置。
【請求項８】
前記受信信号、前記追跡位置情報および前記追跡位置情報に基づく歪み量の少なくともひとつを記憶するメモリをさらに備え、
前記超音波の送受信を停止している場合において、前記組織追跡部および前記組織性状値算出部は、前記メモリに記憶されていた前記受信信号、前記追跡位置情報および前記歪み量の少なくとも１つを読み出して、前記第２の組織性状値を求め、前記表示部に表示する請求項７に記載の超音波診断装置。
【請求項９】
前記組織追跡部および前記組織性状値算出部は、前記メモリに記憶された任意の時刻の前記受信信号、前記追跡位置情報および前記追跡位置情報に基づく歪み量の少なくとも１つを読み出して前記第２の組織性状値を求め、前記表示部に表示する請求項８に記載の超音波診断装置。
【請求項１０】
前記メモリは、前記求めた第２の組織性状値を前記時刻に関連させて記憶する請求項９に記載の超音波診断装置。
【請求項１１】
前記メモリに前記第２の組織性状値が記憶されている場合には、前記ユーザインターフェースからの前記操作者による入力を受け取ることなく、前記組織性状値算出部は、前記メモリから前記第２の組織性状値を読み出し、前記表示部が前記第２の組織性状値を表示する請求項１０に記載の超音波診断装置。
【手続補正２】
【補正対象書類名】明細書
【補正対象項目名】全文
【補正方法】変更
【補正の内容】
【発明の詳細な説明】
【技術分野】
【０００１】
本発明は、超音波診断装置に関し、特に、被検体組織の動きを追跡し、追跡波形から被検体組織の弾性率を求める超音波診断装置に関する。
【背景技術】
【０００２】
超音波診断装置は、超音波を被検体に照射し、そのエコー信号に含まれる情報を解析することにより、被検体を非侵襲的に検査する。従来から広く用いられている超音波診断装置は、エコー信号の強度を対応する画素の輝度に変換することにより、被検体の構造を断層画像として得ている。これにより、被検体の内部の構造を知ることができる。
【０００３】
これに対し、近年、エコー信号の主に位相を解析することによって、被検体の組織の動きを精密に測定し、組織の歪みや弾性率、粘性率などの物理的（性状）特性を求めることが試みられている。
【０００４】
特許文献１は、一定間隔で送受信された超音波のエコー信号の位相差を用いて、被検体の局所領域の瞬間的な移動量を求め、移動量を加算していくことによって、被検体組織を高精度に追跡する方法を開示している。図３を用いて、特許文献１に開示された被検体組織の追跡方法を説明する。被検体の同一個所に向けてΔＴの間隔で超音波パルスを送信し、得られた反射エコーを電気信号に変換した受信信号をそれぞれｙ（ｔ）、ｙ（ｔ＋ΔＴ）とする。ｔは送信時刻を０とした受信時間である。探触子からある距離（深度）ｘに位置する計測点から得られるエコー信号とその受信時刻ｔｘとの間には、音速をＣとすると、下記式（１）の関係が成り立つ。
【０００５】
ｔｘ＝ｘ／（Ｃ／２）                ・・・  （１）
【０００６】
このときｙ（ｔｘ）とｙ（ｔｘ＋ΔＴ）との間の位相差をΔθ、ｔｘ付近での超音波の中心周波数をｆとすると、この期間ΔＴにおける計測点の移動量Δｘは、以下の式（２）で表される。
【０００７】
Δｘ＝−Ｃ・Δθ／４πｆ          ・・・  （２）
【０００８】
式（２）から求められる移動量ΔＸを元の計測点位置ｘに加算することにより、計測点のΔＴ後の位置ｘ’は以下の式（３）によって求められる。
【０００９】
ｘ’＝ｘ＋Δｘ                    ・・・  （３）
【００１０】
この演算を繰り返すことによって、被検体内の計測点の位置を追跡していくことができる。たとえば、ｘ’の位置から反射されたエコーの受信時刻をｔｘ’とし、続いて送受信された受信信号をｙ（ｔ＋２ΔＴ）とすると、ｙ（ｔｘ’＋ΔＴ）とｙ（ｔｘ’＋２ΔＴ）の位相差から式（１）および式（２）の演算により、２ΔＴ後の計測点の位置ｘ”を求めることができる。
【００１１】
特許文献２は、特許文献１の方法をさらに発展させ、被検体組織、特に動脈血管壁の弾性率を求める方法を開示している。この方法によれば、まず、図４（ａ）に示すように、探触子１０１から被検体２３０の血管２２２へ向けて超音波を送信し、血管２２２の血管壁上に設定した計測点ＡおよびＢからのエコー信号を特許文献１の方法により解析することにより、計測点ＡおよびＢの動きを追跡する。図４（ｂ）は、計測点ＡおよびＢの追跡波形ＴＡおよびＴＢを示している。また、心電波形ＥＣＧも合わせて示している。
【００１２】
図４（ｂ）に示すように、追跡波形ＴＡおよびＴＢは心電波形ＥＣＧに一致した周期性を有している。これは、心臓の心拍周期に一致して、動脈が拡張および収縮することを示している。具体的には、心電波形ＥＣＧ中にＲ波と呼ばれる大きなピークが見られる際、心臓の収縮が開始し、心臓の収縮によって、動脈中に血流が押し出され、血圧が上昇する。この血圧によって急激に血管壁が広げられる。したがって、心電波形ＥＣＧにＲ波が現れた後、動脈が急激に拡張し、追跡波形ＴＡおよびＴＢも急激に立ち上がる。その後、心臓はゆっくり拡張するので、動脈がゆっくり収縮し、追跡波形ＴＡおよびＴＢも徐々に元に戻る。このような動きを動脈は繰り返している。
【００１３】
追跡波形ＴＡおよびＴＢの差は計測点ＡＢ間の厚さ変化波形Ｗとなる。厚さ変化波形Ｗの最大変化量をΔＷとし、計測点ＡＢ間の初期化時（心拡張末期）の基準厚さをＷｓとすると、計測点ＡＢ間の最大歪み量εは以下の式（４）で求められる。
【００１４】
ε＝ΔＷ／Ｗｓ                        ・・・  （４）
【００１５】
この歪みは血管壁に加わる血圧差によるものであるから、このときの血圧差をΔＰとすると、計測点ＡＢ間の弾性率Ｅｒは以下の式で表される。
【００１６】
Ｅｒ＝ΔＰ／ε＝ΔＰ・Ｗｓ／ΔＷ        ・・・  （５）
【００１７】
したがって、弾性率Ｅｒを断層画像上の複数点に対して計測することにより、弾性率の分布画像が得られる。  図４（ａ）に示すように、血管２２２の血管壁中に粥腫２２０が生じている場合、粥腫２２０とその周りの血管壁組織とでは弾性率が異なる。したがって、弾性率の分布画像が得られれば粥腫の性状、特に易破裂性などの診断に重要な情報が得られる。
【００１８】
このようにして求められた弾性率は、血管の径方向弾性率と呼ばれる。円筒形状を有する血管壁には径方向弾性率Ｅｒのほかに、周方向弾性率Ｅθ、軸方向弾性率Ｅｚの３種類の弾性率が存在する。特許文献２によって求められる弾性率Ｅｒは、血管壁の径方向の弾性率であり、圧力が加わる方向である血管壁の径方向において血管壁の歪みを検出し、その歪みと圧力とから弾性率を算出している。
【００１９】
非特許文献１は、血管壁の周方向の弾性率Ｅθを算出する方法を開示している。非特許文献１によれば、血管壁は同心円状の３層構造を備えるため、径方向弾性率Ｅｒよりも周方向弾性率Ｅθの方が血管壁の組織性状をより正しく反映する。非特許文献１は、以下の式（６）を用いて周方向弾性率Ｅθを求めている。ここで、ｈ０は血管壁の径方向の初期厚さであり、ｒ０は血管の初期半径である。
【００２０】
Ｅθ＝−（１／２）（ｒ０／ｈ０＋１）（ΔＰ／ε）    ・・・  （６）
【特許文献１】特開平１０−５２２６号公報
【特許文献２】特開２０００−２２９０７８号公報
【特許文献３】国際公開第２００４／１１０２８０号パンフレット
【非特許文献１】長谷川、金井他「不均一な壁厚を有する管の局所壁弾性率計測法」J Med Ultrasonics Vol.28, No.1(2001) pp.J3-J13
【非特許文献２】金森浩「音・振動のスペクトル解析」コロナ社、ＩＳＢＮ４−３３９−０１１０５−３、日本音響学会編、
【非特許文献３】S.Timoshenko, "The Theory of Elasticity" McGraw-Hill, 1970
【発明の開示】
【発明が解決しようとする課題】
【００２１】
式（６）に示されるように、周方向弾性率Ｅθを求めるためには、血管の半径Ｒ０および壁厚ｈ０を計測する必要がある。しかし、超音波による血管壁の計測では、血管後壁（探触子から遠いほうの血管壁）と血流の境界は明瞭に検出されるが、血管前壁（探触子に近いほうの血管壁）と血流の境界は多重反射や超音波の尾引きの影響により、正確に検出することが困難である。このため、正確な周方向弾性率Ｅθを求めることはできなかった。
【００２２】
本発明は、このような従来技術の課題を解決し、高速な演算装置を必要とせず、操作者の少ない手間で精度よい周方向弾性率を求めることのできる超音波診断装置を提供することを目的とする。
【課題を解決するための手段】
【００２３】
本発明の超音波診断装置は、血管を含む被検体へ超音波を送信するために、超音波探触子を駆動する送信部と、前記超音波が前記被検体において反射することにより得られる超音波エコーを、前記超音波探触子を用いて受信し、受信信号を生成する受信部と、前記受信信号から前記被検体の各組織の動きを追跡し、追跡位置情報を出力する組織追跡部と、前記血管の半径および壁厚を求める半径および壁厚算出部と、外部から得られる前記被検体の血圧に関する情報と前記追跡位置情報および前記血管の半径および壁厚から前記血管の血管壁の第１の組織性状値および第２の組織性状値を求める組織性状値算出部と、前記第１の組織性状値および第２の組織性状値を表示する表示部とを備え、前記送信部および受信部の動作により超音波を送受信している場合、前記組織性状値算出部は前記追跡位置情報および前記血圧に関する情報に基づいて前記第１の組織性状値を逐次求め、前記表示部が前記第１の組織性状値を表示し、前記超音波の送受信を停止している場合、前記組織性状値算出部は前記追跡位置情報、前記血圧に関する情報および前記血管の半径および壁厚に基づいて前記第２の組織性状値を求め、前記組織性状値算出部は、操作者からの指令に基づき前記第１の組織性状値および前記第２の組織性状値の少なくともいずれか一方を出力し、前記表示部は前記組織性状値算出部から出力される前記第１の組織性状値および前記第２の組織性状値の少なくともいずれか一方を表示する。
【００２４】
ある好ましい実施形態において、前記第２の組織性状値は、前記第１の組織性状値を算出するための演算よりも多くの演算を要する。
【００２５】
ある好ましい実施形態において、前記第１の組織性状値および第２の組織性状値は、それぞれ径方向弾性率および周方向弾性率であり、前記送信部および受信部の動作により超音波を送受信している場合、前記組織性状値算出部は前記追跡位置情報および前記血圧に関する情報に基づいて前記径方向弾性率を逐次求め、前記超音波の送受信を停止している場合、前記組織性状値算出部は前記追跡位置情報、前記血圧に関する情報、前記血管の半径および壁厚に基づいて前記周方向弾性率を求める。
【００２６】
ある好ましい実施形態において、前記半径および壁厚算出部は、前記受信信号および前記追跡位置情報の少なくとも一方に基づいて、前記血管壁と血流との境界および血管壁と周辺組織との境界を検出し、検出した境界に基づいて血管の半径および壁厚を求める。
【００２７】
ある好ましい実施形態において、超音波診断装置は、前記受信信号に基づいて、前記表示部に表示するための前記被検体の断層画像を生成する断層画像処理部と、前記血管壁と血流との境界、または、前記血管壁と周辺組織との境界を前記操作者が前記表示部に表示された断層画像上において指定することにより、前記血管壁と血流との境界および血管壁と周辺組織との境界の位置を前記半径および壁厚算出部へ入力するユーザインターフェースとをさらに備える。
【００２８】
ある好ましい実施形態において、超音波診断装置は、前記受信信号に基づいて、前記表示部に表示するための前記被検体の断層画像を生成する断層画像処理部と、前記血管壁と血流との境界または、前記血管壁と周辺組織との境界を前記表示部に表示された断層画像上において前記操作者が指定することにより、前記半径および壁厚算出部が検出した前記境界の位置を補正して入力し、または、前記半径および壁厚算出部が求めた前記血管の半径および壁厚を前記操作者が入力することにより補正するユーザインターフェースとをさらに備える。
【００２９】
ある好ましい実施形態において、前記超音波の送受信を停止している場合、前記ユーザインターフェースにより前記操作者が前記半径および壁厚算出部へ入力を行うまで、前記表示部は前記第１の組織性状値を表示する。
【００３０】
ある好ましい実施形態において、超音波診断装置は、前記受信信号、前記追跡位置情報および前記追跡位置情報に基づく歪み量の少なくともひとつを記憶するメモリをさらに備え、前記超音波の送受信を停止している場合において、前記組織追跡部および前記組織性状値算出部は、前記メモリに記憶されていた前記受信信号、前記追跡位置情報および前記歪み量の少なくとも１つを読み出して、前記第２の組織性状値を求め、前記表示部に表示する。
【００３１】
ある好ましい実施形態において、前記組織追跡部および前記組織性状値算出部は、前記メモリに記憶された任意の時刻の前記受信信号、前記追跡位置情報および前記追跡位置情報に基づく歪み量の少なくとも１つを読み出して前記第２の組織性状値を求め、前記表示部に表示する。
【００３２】
ある好ましい実施形態において、前記メモリは、前記求めた第２の組織性状値を前記時刻に関連させて記憶する。
【００３３】
ある好ましい実施形態において、前記メモリに前記第２の組織性状値が記憶されている場合には、前記ユーザインターフェースからの前記操作者による入力を受け取ることなく、前記組織性状値算出部は、前記メモリから前記第２の組織性状値を読み出し、前記表示部が前記第２の組織性状値を表示する。
【発明の効果】
【００３４】
本発明によれば、高速な演算装置を必要とせず、簡単な手順により、血管壁の周方向弾性率を精度よく求めることができる。
【発明を実施するための最良の形態】
【００３５】
以下、本発明による超音波診断装置の実施形態を説明する。図１は本発明よる超音波診断装置のブロック図を示している。超音波診断装置は、送信部１０２、受信部１０３、断層画像処理部１０４、組織追跡部１０５、画像合成部１０６、モニタ１０７、組織性状値算出部１０８、半径および壁厚算出部１１０、メモリ１２０、１２１およびユーザインターフェース１２２を備えている。また、これら各構成要素を所定のタイミングおよび順序で制御する制御部１００をさらに備えている。制御部１００は、図示しないキーボードやトラックボール、スイッチ、ボタンといったユーザインターフェースを含んでいる。
【００３６】
なお、図１に示す各構成要素は必ずしも独立したハードウエアによって構成される必要はなく、例えば、制御部１００、断層画像処理部１０４、組織追跡部１０５、画像合成部１０６、組織性状値算出部１０８、半径および壁厚算出部１１０の機能がＣＰＵとソフトウェアにより実現されていてもよい。
【００３７】
送信部１０２および受信部１０３には超音波を被検体へ向けて送信し、被検体から超音波エコーを受信するための探触子１０１が接続される。超音波診断装置は専用の探触子１０１を備えていてもよいし、汎用の探触子を探触子１０１として用いてもよい。探触子１０１内には複数の圧電変換素子が配置され、これらの圧電変換素子の選択および、圧電変換素子に電圧を与えるタイミングによって送受信する超音波の偏向角およびフォーカスを制御する。
【００３８】
送信部１０２は、制御部１００の指令を受けて、指定されたタイミングで探触子１０１を駆動する高圧信号を発生する。探触子１０１は、送信部１０２で発生した送信信号を超音波に変換して被検体に照射する。
【００３９】
被検体内部から反射してきた超音波エコーは、探触子１０１を用いて電気信号に変換され、受信部１０３により増幅されることによって受信信号が生成する。前述したように受信部１０３は、探触子１０１の圧電変換素子の選択によって、定められた位置（フォーカス）または方向（偏向角）からの超音波のみを検出することができる。
【００４０】
断層画像処理部１０４は、フィルタ、検波器、対数増幅器などからなり、受信信号の主に振幅を解析して、被検体の内部構造を画像化する。得られた断層画像は、以下において説明する画像構成部１０６において、弾性率画像と合成され、表示部であるモニタ１０７に表示される。
【００４１】
組織追跡部１０５は、受信信号を記憶するメモリ、受信信号間の位相差から式（１）を用いて超音波の送受信方向に沿う被検体組織の移動量を求める移動量演算部、移動量を元の位置に加算して移動後の位置を求める追跡位置演算部を含み、被検体内の各組織の超音波の送受信方向に沿う各組織の追跡位置情報を出力する。
【００４２】
半径および壁厚算出部１１０は、被検体に含まれる血管の半径および壁厚を求める。具体的には、組織追跡部１０５または、メモリ１２１から得られる追跡位置情報または受信信号のうち、少なくともいずれか一方を解析して、組織の境界を検出するとともに、血管壁−周辺組織境界または血管壁−血流境界から、血管半径および壁厚を与える。追跡位置情報に基づく場合には、例えば、血流および、血管壁、周辺組織の追跡波形との差を求めることによって血管の外径を求めることができる。
【００４３】
受信信号に基づく場合には、受信信号の振幅を解析する。受信信号の振幅は、被検体の計測領域内における反射波の強度を示しており、血管壁と血流あるいは血管壁と周辺組織とでは反射波の強度が異なる。したがって、受信信号の振幅の差異を検出することにより、境界の位置を検出し、境界の位置を定めることができる。
【００４４】
ユーザインターフェース１２２は、半径および壁厚算出部１１０によって算出された血管の半径および壁厚を操作者が補正するための入力部である。具体的には、ユーザインターフェースはキーボードやトラックボール、マウスなどの入力デバイスであり、操作者が、モニタ１０７に表示された断層画像上において、半径および壁厚算出部１１０が決定した血管壁と血流との境界または血管壁と周辺組織との境界をユーザインターフェース１２２を用いて補正することによって、補正後の血管壁と周辺組織との境界または血管壁と血流との境界の位置を前記半径および壁厚算出部へ入力する。モニタ１０７に、断層画像と半径および壁厚算出部１１０が決定した血管壁と血流との境界または血管壁と周辺組織との境界と血管の半径および壁厚とが表示され、操作者がモニタ１０７を見ながら適切な血管の半径値および壁厚値をユーザインターフェース１２２から入力してもよい。
【００４５】
また、半径および壁厚算出部１１０が、追跡位置情報または受信信号から所定の精度で血管の半径または壁厚を求めることができない場合には、操作者がモニタ１０７に表示された断層画像上において、血管壁と血流との境界または血管壁と周辺組織との境界をユーザインターフェース１２２を用いて決定し、半径および壁厚算出部１１０は操作者が決定した境界の位置から血管の半径および壁厚を求めてもよい。ユーザインターフェース１２２からの入力により、補正された血管の半径および壁厚が半径および壁厚算出部１１０から組織性状値算出部１０８へ出力される。ユーザインターフェース１２２は制御部１００に含まれるキーボードやトラックボール、スイッチ、ボタンといったユーザインターフェースであってもよい。
【００４６】
組織性状値算出部１０８は、組織追跡部１０５から追跡位置情報を受け取り、式（３）および式（４）に基づいて歪み量を求める。さらに血圧値取得部１１１から血圧値を受け取り、式（５）に基づき、第１の組織性状値として径方向弾性率を求める。血圧値取得部１１１は、血圧値を組織性状値算出部１０８へ入力する。血圧値取得部１１１は、被検体の血圧を計測する血圧計であってもよいし、操作者が血圧値入力するためのキーボードなどの入力装置であってもよい。
【００４７】
また、組織性状値算出部１０８は、半径および壁厚算出部１１０から補正された血管半径および壁厚を受け取り、第２の組織性状値として式（４）から式（６）に基づいて周方向弾性率を求める。径方向弾性率および周方向弾性率は被検体の各組織について求められる。つまり超音波の送受信方向および送受信方向に垂直な方向に配列された２次元マップとして求められる。
【００４８】
周方向弾性率は正確な血管半径および壁厚が入力されなければ求めることができない。このため、以下において詳細に説明するように、周方向弾性率は、計測のための超音波の送受信を停止した状態において操作者が血管半径および壁厚を補正した後に求められる。一方、径方向弾性率は、計測のための超音波の送受信を行いながらリアルタイムで逐次求められる。
【００４９】
このように、組織性状値算出部１０８は、超音波の送受信を行っている間に第１の組織性状値を求め、超音波の送受信を停止している間に第２の組織性状値を求める。第１の組織性状値には、超音波の送受信を行っている間であっても演算が可能な、比較的高い演算処理が必要のない特性値、あるいは、受信信号に基づき、自動的に演算することが可能な特性値が選ばれる。一方、第２の組織性状値には、第１の組織性状値を算出するための演算よりも多くの演算を要する高度な演算処理が必要な組織性状値、あるいは、操作者による補正に基づいて演算を行うことが必要な組織性状値が選ばれる。組織性状値算出部１０８は、第２の組織性状値の演算を超音波の送受信を行っていない時に行う。このため、第２の組織性状値を送受信を行いながら演算する場合に比べて、超音波診断装置の演算装置に求められる負荷が小さくてすむ。
【００５０】
組織性状値算出部１０８は、第２の組織性状値を求めた後、操作者によるユーザインターフェース１２２からの指令に基づき前記第１の組織性状値および前記第２の組織性状値の少なくともいずれか一方、つまり、径方向弾性率の二次元マップ画像または周方向弾性率の二次元マップ画像を出力する。
【００５１】
画像合成部１０６は、断層画像処理部１０４から得られる断層画像と、組織性状値算出部１０８から得られる径方向弾性率の二次元マップ画像または周方向弾性率の二次元マップ画像とを合成し、モニタ１０７へ出力する。対応する組織の位置が重なるように断層画像と弾性率の二次元マップ画像とを合成することが好ましい。
【００５２】
メモリ１２１は受信信号と、追跡位置情報、歪み量の少なくともいずれか１つを記憶する。また、組織性状値算出部１０８が算出した径方向弾性率および周方向弾性率を、計測時刻に関連付けて記憶する。メモリ１２０は断層画像を記憶する。メモリ１２１に記憶された情報は、超音波の送受信を停止した状態において、読み出され、組織性状値算出部１０８において周方向弾性率の計算に用いられる。また、周方向弾性率や径方向弾性率をモニタ１０７に表示する場合に、対応した弾性画像のデータがメモリ１２０から読み出され画像合成部で弾性率の二次元マップ画像と合成される。
【００５３】
図２は、このような構成の超音波診断装置を用いて、血管壁の弾性率を計測した結果の一例を表示したモニタ画面を模式的に示している。図２において、モニタ上には血管壁の断層画像２００に重畳して、対応する組織の弾性率の分布を表す弾性率画像２０１がカラーで表示される。図２に示されるように、超音波診断装置に被検体から得られる心電波形を入力し、心電波形を生体信号波形２０４として表示してもよい。また、以下において説明するように、血管壁と血流との境界を示すカーソル３０１、３０２が表示される。
【００５４】
断層画像２００は、反射強度スケール２０２に示される反射強度と画像の諧調との関係を用いて表示される。また、弾性率画像２０１は、弾性率スケール２０３に示される弾性率と色調との関係を用いて表示される。図２では、断層画像２００中の血管前壁の内膜２６１、中膜２６２および外膜２６３と、血管後壁の内膜２５１、中膜２５２および外膜２５３と、血管内腔２４０とが反射強度スケール２０２にしたがう異なる諧調度で区別して表示されている。また、これらの組織は異なる弾性率を有するため、弾性率画像２０１においても弾性率スケール２０３にしたがう異なる色調でこれらの組織が表示されている。
【００５５】
超音波送受信時（以下、ライブ状態という）では、断層画像２００は従来の超音波診断装置同様に数１０フレーム／秒ごとに更新され表示される。一方、弾性率は一心拍中の血圧差に基づいて計算される。このため、弾性率画像２０１は１心拍に１回更新して表示される。
【００５６】
超音波の送受信を停止した状態（以下、フリーズ状態）では、メモリ１２１より受信信号、追跡位置情報または歪み量が読み出され、弾性率が再計算され、メモリ１２０よりそのときの弾性率に同期した断層画像が読み出されて表示される。また、フリーズ状態において過去の弾性率および断層画像を読み出すことができる。この場合は特許文献３に示されるように、弾性率に関連付けて記憶されている計測時刻に基づいて、表示する弾性率と同じ時刻に得られた断層画像、または、弾性率を算出するのに要した心拍期間の断層画像が、メモリ１２０より読み出されて表示される。
【００５７】
次に、超音波診断装置の動作を説明する。まず、ライブ状態では、送信部１０２および受信部１０３を動作させ、所定の時間間隔で受信信号が生成する。断層画像処理部１０４および組織追跡部１０５は受信信号を逐次処理し、断層画像および追跡位置情報を生成する。組織性状値算出部１０８は逐次生成される追跡位置情報に基づいて、径方向弾性率の二次元マッピング画像を生成する。画像合成部１０６は断層画像と径方向弾性率の二次元マッピング画像とを合成し、モニタ１０７がこれらの合成画像を表示する。ライブ状態では超音波の送受信が逐次行われ、断層画像も受信信号の生成のたびに更新される。径方向弾性率の二次元マッピング画像は心拍ごとに更新される。得られた受信信号、追跡位置情報および弾性率の少なくとも１つはメモリ１２１に記憶される。得られた断層画像はメモリ１２０に記憶される。
【００５８】
一方、周方向弾性率を求めるためには、血管半径および壁厚を求める必要がある。しかし、血管壁と血流との境界は短時間内に自動的に検出するのが困難である。例えば、実際の装置では受信信号１本あたりの処理時間は１００μ秒程度しかなく、この時間内に境界を検出するためには、高性能のコンピュータが必要となる。このため、本発明の超音波診断装置は、ライブ状態では、径方向弾性率のみを求める。
【００５９】
超音波の送受信を停止したフリーズ状態では、受信信号、追跡位置情報および径方向弾性率のいずれか少なくとも１つがメモリ１２１から読み出され、組織性状値算出部１０８が周方向弾性率の算出を行う。また、同じ時刻に得られた断層画像がメモリ１２０から画像合成部１０６へ出力される。このとき、半径および壁厚算出部１１０は、追跡位置情報または受信信号に基づいて血管前壁および後壁と周辺組織との境界または血管前壁および後壁と血流との境界を前述した方法により決定し、血管半径および壁厚を求める。求めた血管半径および壁厚は組織性状値算出部１０８へ出力される。フリーズ直後の遅れであれば操作者に違和感を与えることはないので、境界の決定に多少時間を要してもよい。
【００６０】
組織性状値算出部１０８は、血管半径および壁厚と追跡位置情報または径方向弾性率とから周方向弾性率を求め、周方向弾性率の二次元マップ画像を画像合成部１０６へ出力する。画像合成部１０６は、メモリ１２０から受け取る弾性画像と、周方向弾性率の二次元マッピング画像とを合成し、モニタ１０７がこれらの合成画像を表示する。
【００６１】
血管半径および壁厚が正しく自動的に求められる場合には、フリーズ状態において上述の手順によって周方向弾性率の二次元マッピング画像を含む画像をモニタ１０７に自動的に表示される。しかし、血管半径または壁厚が正確に求められない場合、つまり、血管壁の境界が正確に決定できない場合には、操作者がユーザインターフェース１２２により、境界の位置または血管半径または壁厚を補正し、補正された境界位置または血管半径または壁厚に基づいて、組織性状値算出部１０８が周方向弾性率を求める。
【００６２】
例えば、図２に示すように、フリーズ状態においても、まず、メモリ１２０、１２１に記憶されたデータを読み出し、まず断層画像と径方向弾性率との合成画像を表示する。また、半径および壁厚算出部１１０が求めた境界の位置をモニタ１０７に合わせて表示する。図２では、半径および壁厚算出部が血管前壁および後壁と血流との境界を検出し、検出した位置にカーソル３０１、３０２を表示している。
【００６３】
操作者はユーザインターフェース１２２により、モニタ１０７の断層画像上においてカーソル３０１、３０２の位置を補正する。半径および壁厚算出部１１０は、ユーザインターフェース１２２から補正された位置を取得して、血管半径および壁厚を算出する。あるいは、操作者はユーザインターフェース１２２から血管半径および壁厚を直接入力してもよい。
【００６４】
組織性状値算出部１０８は、ユーザインターフェース１２２による補正された境界の位置に基づく血管半径および壁厚またはユーザインターフェース１２２による補正された血管半径および壁厚を受け取り、周方向弾性率を求め、周方向弾性率の二次元マップ画像を画像合成部１０６へ出力する。画像合成部１０６は、メモリ１２０から受け取る断層画像と、周方向弾性率の二次元マッピング画像とを合成し、モニタ１０７がこれらの合成画像を表示する。これにより、モニタ１０７の表示が径方向弾性率から周方向弾性率に切り替わる。
【００６５】
このようにして求められた周方向弾性率は、その周方向弾性率を求めるためのデータが取得された時刻と関連させてメモリ１２１に記憶される。
【００６６】
フリーズ状態におけるメモリ１２０、１２１からのデータの読み出しは、記憶されているデータの任意の時刻から開始することができる。すでに、一度メモリ１２０、１２１から読み出して、周方向弾性率が求められている時刻を指定する場合、上述の手順によって周方向弾性率を求めることなく、メモリ１２１に記憶されている周方向弾性率を関連付けられた時刻に基づいて表示することができる。このような動作によって再度計算をすることなく、直ちに周方向弾性率を表示することができる。また、周方向弾性率を計算することなく表示できる場合であっても、操作者の指令に基づいて周方向弾性率を表示するか径方向弾性率を表示するかを選択できるようにしてもよい。
【００６７】
このように、本発明によれば、境界を検出するための複雑な演算を高速に行なう専用の手段を設けることなく、正確な径方向弾性率と周方向弾性率を求めることができる超音波診断装置を実現することができる。したがって、本発明の超音波診断装置を用いて、動脈硬化など血管の病変を正確に診断することが可能となる。
【００６８】
なお、本実施形態では、第１の組織性状値および第２の組織性状値として、径方向弾性率および周方向弾性率を算出した。しかし、本発明の超音波診断装置は、第１の組織性状値および第２の組織性状値として他の組織性状値を求めてもよい。
【００６９】
第１の組織性状値としては、超音波の送受信を行っている間であっても演算が可能な、比較的高い演算処理が必要のない特性値、あるいは、受信信号に基づき、自動的に演算することが可能な特性値が選ばれる。具体的には、第１の組織性状値は歪み量や内径変化量であってもよい。
【００７０】
第２の組織性状値には、高度な演算処理が必要な特性値、あるいは、操作者による補正に基づいて演算を行うことが必要な特性値が選ばれる。具体的には、第２の組織性状値は粘性率であってもよい。粘性率μは、たとえば、非特許文献２に説明されている下記式（７）によって求められる。
【００７１】
【数１】
2007080870.tif 000009
【００７２】
ここで、Ｐは血管の脈圧であり、εは歪みであり、Ｅは弾性率である。
【００７３】
また、第２の組織性状値には、たとえば、非特許文献３に説明されている以下の式（８）から算出される弾性率Ｅであってもよい。
【００７４】
【数２】
2007080870.tif 000010
【００７５】
ここで、Ｐは血管の脈圧であり、ｒiは血管の内半径であり、ｒoは血管の外半径であり、ｒは血管の中心からの距離である。距離ｒは、たとえば、操作者が弾性率を求めたい位置をユーザインターフェース１２２によって指定することにより、決定してもよい。
【００７６】
こうした第２の組織性状値も高度な演算処理が必要であるため、超音波の送受信を行いながらライブ状態（リアルタイム）で求めるためには、高速な演算装置が必要となる。あるいは、操作者からの入力が必要となるため、ライブ状態での計測に適さない。しかし、本発明によれば、第２の組織性状値は、超音波診断装置による計測を行っていないときに求められるため、超音波診断装置の計測の制御に使われる演算能力を第２の組織性状値の演算に用いることができる。また、リアルタイムで第２の組織性状値を求める必要はないので、多少演算に時間がかかってもよく、その場合でも操作者に大きな違和感を感じさせることはない。
【００７７】
したがって、高速な演算装置を用いることなく、高度な演算が必要な組織性状値を求めることが可能な超音波診断装置が実現する。また、操作者の入力に基づいて第２の組織性状値の算出を行う場合には、操作者が断層画像などを見ながら熟考して数値を決定、入力できる。
【産業上の利用可能性】
【００７８】
本発明は、血管壁の弾性率を正確に求めることのできる超音波診断装置に好適に用いられる。
【図面の簡単な説明】
【００７９】
【図１】本発明による超音波診断装置の実施形態を示すブロック図である。
【図２】図１に示す装置を用いて表示される画像の一例を示している。
【図３】位相差から組織の位置の追跡を行う原理を示す図である。
【図４】（ａ）は超音波診断装置を用いて血管壁を計測する手順を説明している。（ｂ）は計測により得られる追跡波形および厚さ変化波形の一例を示している。
【符号の説明】
【００８０】
１００  制御部
１０１  探触子
１０２  送信部
１０３  受信部
１０４  断層画像処理部
１０５  組織追跡部
１０６  画像合成部
１０７  モニタ
１０８  組織性状値算出部
１０９  メモリ
１１０  半径および壁厚算出部
１１１  血圧値取得部
１２２  ユーザインターフェース
２００  断層画像
２０１  弾性率画像
２０２  断層画像用反射強度スケール
２０３  弾性率画像スケール
２０４  生体信号波形
【手続補正３】
【補正対象書類名】図面
【補正対象項目名】全図
【補正方法】変更
【補正の内容】
【図１】
2007080870.tif 000011
【図２】
2007080870.tif 000012
【図３】
2007080870.tif 000013
【図４】
2007080870.tif 000014
【国際調査報告】
2007080870.tif 000015
2007080870.tif 000016